Podtech/llm-jp-corpus-v4-ja_patent huggingface dataset:
(57)【要約】      （修正有）【課題】ガスレンジ及び石油ストーブ等に、安全で経済的に着火する。【解決手段】角パイプ１の先端に、電子式デスポライターＬを入れて固定し、角パイプ中に装備したかぎ型バーによる。【選択図】図１
0003139313.tif 000002
【実用新案登録請求の範囲】
【請求項１】
ガスレンジ及び石油ストーブ等に、デスポライター（１００円ライター）で、安全で簡単に着火する為に、ライターを棒状の角パイプの先端に固定し、かぎ型フラットバ−で着火させる装置を備えたライター。
【考案の詳細な説明】
【技術分野】
【０００１】    本考案は、手より離れた所で固定させたライターを、着火させる装置器に関するものである。
【背景技術】
【０００２】    ガスレンジ、石油ストーブ等に着火する場合、軸の長いマッチ又は専用着火器を使用していた。
【考案の開示】
【考案が解決しようとする課題】
【０００３】    専用着火器は経済的負担も大きく、故障の場合、部品の交換が困難である。従って、安価で手元にある、使い捨て１００円ライターを使用する事により前述の欠点を解決しようとするものである。
【課題を解決するための手段】
【０００４】    本考案は、鉄又はアルミ等の不燃材角パイプの先端に、電子式デスポライターを固定し、ライターの着火ボタンを手元より、かぎ型フラットバーにて引っ張り、着火して問題点を解決している。
【考案の効果】
【０００５】    よって、本考案の着火器により、ガスレンジ、石油ストーブ等の着火が安全で容易になる。また、ライターは取り外せるので、ライターのガスが無くなっても、新しいライターと交換することができる。
【考案を実施するための最良の形態】
【０００６】    本考案に係るライター着火器は、図１で示すように、角パイプの先端より電子式デスポライターを入れるが、ライター固定ネジ３及びがぎ型バー２を備えているために、固定される。ライター固定ネジ３位置の深さは、ライターの長さに応じて決めればよい。素材はアルミニュウムで形成することが望ましい。
【図面の簡単な説明】
【０００７】
【図１】    本考案に係る着火装置器に、電子式デスポライターを装着した状態の正面断面図である。
【図２】    本考案に係る電子式デスポライター着火器に、ライターを装着した状態の横面断面図である。
【符号の説明】
【０００８】    １    角パイプ
２    かぎ型フラットバ−
３    ライター固定ネジ
４    バー止めネジ
５    指掛け穴
Ｌ    電子式デスポライター
【図１】
0003139313.tif 000003
【図２】
0003139313.tif 000004
【手続補正書】
【提出日】平成19年10月31日(2007.10.31)
【手続補正１】
【補正対象書類名】実用新案登録請求の範囲
【補正対象項目名】全文
【補正方法】変更
【補正の内容】
【実用新案登録請求の範囲】
【請求項１】
スイッチを押すことで着火される、電子式デスポライターを、棒状角パイプの先端の中に入れて固定し、角パイプ中に入れた、かぎ型フラットバーで引く事により、スイッチを押し、着火させる装置を備えた器具。
(57)【要約】      （修正有）【課題】炭酸水素ナトリウムをベースに、発泡助剤、果汁粉、香料、砂糖、等を混合せしめた発泡添加物を提供する。【解決手段】飲食用、洗淨用に広く利用されている、炭酸水素ナトリウムに、発泡助剤のクエン酸、果汁粉、香料、砂糖、成形加工剤、等を加え、固形錠または顆粒状として、安価で軽い添加物を、焼酎に添加できることとした。【選択図】図１
0003139317.tif 000002
【実用新案登録請求の範囲】
【請求項１】
炭酸水素ナトリウム粉未をベースとし、発泡助剤、嗜好加味粉未、成形加工助剤を加え、固形錠に加工したことを特徴とする、発泡酎ハイ錠。
【請求項２】
前記混合粉未剤を、顆粒状に加工したことを特徴とする、発泡酎ハイ添加物。
【考案の詳細な説明】
【技術分野】
【０００１】  本考案は、コップ等に、焼酎、水、氷、等を入れたのち、発泡系酎ハイ用添加錠、または酎ハイ用顆粒状添加物を加えることにより、手軽に酎ハイを作ることに関するものである。
【背景技術】
【０００２】  現今、大手酒造メーカーにて作られる、多種多数の酎ハイ缶が、コンビニ、スーパー、酒店、等に並べられている。
他方、居酒屋、スナック、バー等では、水割り、ソーダー割りのうえ、好みによる、果実、果汁、等の添加酎ハイが作られている。
また、家庭では、安価な４リットルジヤンボボトルを購入し、愛飲されてはいるが、一般には氷のオンザロツ程度。
もつとうまくしたいと思うが、加える安価は添加素材がみつからず、あきらめ気味。
大昔、（昭和３０、４０年代）あった便利な果汁粉、コンクジュース、発泡キヤンデイ、等も姿を消したようで、今は殆んど入手が困難。
特に、うまい発泡は真似がむづかしい。
これらの不満、要求を解決しようと考案したのが、本考案に係る発泡系酎ハイ添加物であり、利用に便利な固形錠または顆粒状としたものである。
【考案が解決しようとする課題】
【０００３】  以上の如く、次の問題点、課題があった。
（イ）発泡性キヤンデイが姿を消し、うまい飲食に適する基本的な発泡性添加物が判らない。素人にはできそうもない。
（ロ）大昔、多種多量にあった、オレンジ、グレープフルーツ、ミカン、ブドー、等の果汁粉が、自販機飲料に追われて、入手が困難となっている。
（ハ）前記素材があったとしても、混合の割合、試し調合するのが面倒でむづかしいく、わずらわしい時世になっている。
（ニ）市販されている、固形キヤンデイ、各種の発泡固形入浴剤、発泡固形洗淨剤、等のように、今はやりの手軽に利用できる、錠剤風の包装完成品が欲しい。
（ホ）調剤薬品の一部にある、スプーン等で測れる顆粒状のものがあれば便利、とも云われる。
【考案の構成または製法の手順】
【０００４】
0003139317.tif 000003
表面活性剤と種々の化成品があるが、何れも飲食用には不適である。
他の変わった薬品としては、胃薬、料理、台所の清掃用として広く利用されている俗称、重曹（炭酸水素ナトリウム）、と農産物を原料とした、台所等水回りの清掃用として広く利用されている、クエン酸がある。
この２種の化学薬品を組合せると、重量比１：１で急激な発泡作用が発生する。
価格も効果に対しては非常に安く、店頭値の一例では、炭酸水素ナトリウム５００ｇで６３０円、ｇ当り１．２６円、クエン酸５００ｇで１２００円、ｇ当り２．４円。
３６０ｍｌの水中に入れると、１対１乃至１対０．７ｇで発泡する。
そして固形錠または顆粒状にすると発泡は緩慢となる。
炭酸水素ナトリウムをベースとし、発泡助剤としてクエン酸または酸度の高いレモン果汁粉、他の果汁粉、香料、砂糖、成形加工用助剤、等を混合し、固形状または顆粒状とすることにより、考案の構成または製法が完成する。
また、現在市販されているものに、果汁粉混入のキヤンデイがあり、微発泡形ではあるが、一例では直径約２ｃｍ、厚さ約５ｍｍ、６錠シート、包装シート３枚で、１８錠、約３０ｇ、包装箱入りで、売値１２０円、１錠約１．５ｇ、約６．６円。
前述の本考案の発泡添加物は、約２ｇ、約３．５円合計すると１０円程度で販売が可能と推定できる。
【考案の効果】
【０００５】本考案の酎ハイ添加物は、１杯当り約３グラム、量産で１０円程度で入手が可能と推定できる。
家庭で、焼酎のジヤンボボトル４０００ｍｌ、２０００円、アルコール度２５％の安価な焼酎、約１００ｍｍｌを、約３６０ｍｌ入るコップに入れ、約３グラムの発泡添加物を入れるだけで、度数約７％のうまい酎ハイが簡単に自作できる。
年間３６０ｍｌ、アルコール７％の酎ハイ缶５００本を購入した場合と、４０００ｍｌアルコール２５％の焼酎１２．６本を購入した場合とで試算すると、価格で約２．８対１、重さで３．６対１、と大きな効果が得られる。
味については、例として、レモン、グレープフルーツ、梅、ブドウ等の色分け表示のほか、日本酒のように、原料と製法による〔うまさ〕を、甘口−中位−辛口、等の表示を付けると、更に選択利用の便が増し、よろこばれるであろう。
【考案を実施するための最良の形態】
【０００６】  以下、本考案の実施の形態を説明する。
（イ）本考案の発泡酎ハイ錠は、直径約２０ｍｍ、厚さ約５ｍｍ。
（ロ）発泡酎ハイ顆粒添加物は、直径約１ｍｍの粒状である。
（ハ）包装については（イ）の場合、通常は複数錠を、１シート、として包装のうえ、印刷ボール紙箱に収納する。
参考例図〔図１〕〔図２〕〔図３〕
（ニ）顆粒状の場合は、一般の円筒容器に収納するので図は省略する。
【図面の簡単な説明】
【０００７】
【図１】本考案の発泡酎ハイ錠の断面図
【図２】本考案の発泡酎ハイ錠６錠をシート包装した場合の平面図
【図３】本考案の発泡酎ハイ錠６錠をシート包装した場合の側面図
【符号の説明】
【０００８】  １  酎ハイ添加錠
２  上部パック
３  下部パックシート
【図１】
0003139317.tif 000004
【図２】
0003139317.tif 000005
【図３】
0003139317.tif 000006
【手続補正書】
【提出日】平成19年10月31日(2007.10.31)
【手続補正１】
【補正対象書類名】実用新案登録請求の範囲
【補正対象項目名】全文
【補正方法】変更
【補正の内容】
【実用新案登録請求の範囲】
【請求項１】
炭酸水素ナトリウム粉末をベースとし、発泡助剤、嗜好加味粉末、成形加工助剤を加え、固形錠に加工し、下部パックシート及び円柱状の凸起を有する上部パックでシート包装し、嗜好加味粉末の色分け表示を付加することを特徴とする、発泡酎ハイ錠。
【請求項２】
炭酸水素ナトリウム粉末をベースとし、発泡助剤、嗜好加味粉末、成形加工助剤を加え、顆粒状に加工し、円筒容器に収納し、嗜好加味粉末の色分け表示を付加することを特徴とする、発泡酎ハイ添加物。
(57)【要約】      （修正有）【課題】皮膚面から先端までの長さが均一になり散髪され、また散髪した髪が散らばらないで専門的技術や熟練を要しない簡易的な散髪器具を提供する。【解決手段】散髪調整機能つき吸引式散髪器具は、予め散髪後の髪の長さを決定し、串部を前後に移動させ目盛に合わせて設定しておく。そしてノズルに装着した掃除機を可動させることで掃除機の吸引力により、内部を通過する風圧を利用し内刃を回転させて髪を切る。散髪の際は串部で皮膚面をなでる事で整えられた髪は、内部に吸い寄せられる。【選択図】図１
0003139314.tif 000002
【実用新案登録請求の範囲】
【請求項１】
本考案は、散髪調整機能つき吸引式散髪器具を電気掃除機のノズルに装着し使用する。掃除機の吸引力の風圧を利用しファンを回転させ、その動力で内刃が回転し髪を散髪する。また散髪された髪はそのまま掃除機内に吸引されるため、散髪された髪が外に散らばることがないことを特徴とする。
【請求項２】
また、散髪器具の前面に装着してある串で整髪された髪は電気掃除機の吸引力により均等に吸い寄せられるため、外刃を通った髪は、内刃にて均等に散髪される。また、散髪器具は、散髪した後の髪の長さを予め目盛にあわせて設定しておくことで、その器具の前面に装着してある串を使い皮膚面を撫でるだけで髪を皮膚面から先端までの設定した長さに散髪できることも特徴である。
【考案の詳細な説明】
【技術分野】
【０００１】  本考案は、専門的技術がない人でも簡便に髪の長さを均等に散髪し、また散髪した髪を散らばることなく処理できる器具に関する。
【背景技術】
【０００２】  従来の散髪は、ハサミ、バリカン等を使用し髪の長さを揃えて散髪するには専門的な技術と経験が必要である。
【考案の開示】
【考案が解決しようとする課題】
【０００３】  上記の如く、ハサミ、バリカン等を使用し散髪を行うことは、髪の長さを揃えて散髪することなど専門的技術が必要となる。また散髪された髪は散らばることになる。そこで、従来の技術でバリカンに掃除機をセットされた物が存在するが、散髪された髪は吸引されるため髪は散らばることはないが、散髪の長さを見極めて髪を切る事は、単独のハサミ、バリカン等と同様に専門的技術を要する。また、ハサミ、バリカン等は、刃が露出している為、熟練の技術がないと皮膚を傷つけていまう危険性もある。
【課題を解決するための手段】
【０００４】  本考案は、散髪調整機能つき吸引式散髪器具を電気掃除機のノズルに装着し使用する。掃除機の吸引力の風圧を利用しファンを回転させ、その動力で内刃が回転し髪を散髪する。また散髪された髪はそのまま掃除機内に吸引されるため、散髪された髪が外に散らばることがないことを特徴とする。【０００５】  また、散髪器具の前面に装着してある串で整髪された髪は電気掃除機の吸引力により均等に吸い寄せられるため、外刃を通った髪は、内刃にて均等に散髪される。また、散髪器具は、散髪した後の髪の長さを予め目盛にあわせて設定しておくことで、その器具の前面に装着してある串を使い皮膚面を撫でるだけで髪を皮膚面から先端までの設定した長さに散髪できることも特徴である。
【考案の効果】
【０００６】  本考案は、専門的技術がない人でも簡便に髪を散髪できる器具である。また予め散髪後の長さを設定し、皮膚面を撫でることで髪を一定の長さに保持しながら均一に散髪ができる。また吸引により散髪の過程で髪が散らばることもなく、刃が内部にあり刃が露出しない為、皮膚を傷つける危険性がないなどの利点がある。
【考案を実施するための最良の形態】
【０００７】  以下、本考案を図面に基づき詳細に説明する【０００８】  図１に示すように、散髪調整機能つき吸引式散髪器具は、予め散髪後の髪の長さを決定し、前後可動式串（１１）を前後に移動させ目盛付き髪切り部（１２）の目盛に合わせた位置に設定しておく。そしてノズル装着筒（１３）に掃除機のホースを装着し掃除機を可動させることで掃除機の吸引力により、内部を通過する風圧で目盛付き髪切り部（１２）の内刃（１４）を可動させて髪を切る。前後可動式串（１１）で皮膚面をなでる事で整えられた髪は、目盛付き髪切り部（１２）の内部に吸い寄せられて、皮膚面から均一の長さに散髪される。散髪されたら髪は、掃除機ノズル装着筒（１３）を通り掃除機内に送られる。【０００９】  図２に示すものは、目盛付き髪切り部（１２）の内部を表したもので、重り付きファン（１６）は掃除機の吸引力の風圧により惰力をもって回転する。その動力を利用して内刃（１４）を回転させる。髪は吸引力で外刃（１４）を通過し内刃（１５）によって切られる。
【図面の簡単な説明】
【００１０】
【図１】カット調整機能つき吸引式散髪器具を表す
【図２】ファン回転による駆動式髪切り部の内部を表す
【符号の説明】
【００１１】１１  前後可動式串
１２  目盛付き髪切り部
１３  掃除機ノズル装着筒
１４  外刃
１５  内刃
１６  重り付きファン
【図１】
0003139314.tif 000003
【図２】
0003139314.tif 000004
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、散髪調整機能つき吸引式散髪器具の掃除機ノズル装着筒に電気掃除機のノズルを装着し掃除機の吸引力の風圧を利用し重り付きファンを回転させ、外刃の穴を通る髪を内刃の回転で髪を散髪し、散髪された髪はそのまま掃除機内に吸引されるため、髪が外に散らばることがないことを特徴とする吸引式散髪器具。
【請求項２】
請求項１の吸引式散髪器具の前面に装着してある前後可動式串を散髪した後の髪の長さに予め目盛をあわせて設定しておき、前後可動式串で皮膚面を撫でることで髪を皮膚面から外刃の先端までの設定した長さに散髪できることを特徴とする吸引式散髪器具。
(57)【要約】      （修正有）【解決手段】扇風機カバー本体１を扇風機本体にセットし、ポケット部分２に保冷剤６や氷を入れられるようにした。扇風機本体にポケットを取り付け冷却媒体を入れられるようにした。【効果】氷などで空気を冷やすことによって、扇風機で手軽に冷風を楽しむことができる。【選択図】図１
0003139320.tif 000002
【実用新案登録請求の範囲】
【請求項１】
扇風機カバーにポケットがついていることを特徴とする扇風機カバー。
【請求項２】
氷や保冷剤から溶け出る水を吸収する吸収体と、さらにその水が滴り落ちるの
を防ぐビニールがポケットについていることを特徴とする請求項１に記載の扇風
機カバー。
【請求項３】
ポケットがついた扇風機本体。
【考案の詳細な説明】
【技術分野】
【０００１】
本考案は扇風機の本体に取り付ける扇風機カバーならびにポケット付き扇風機に
関する。
【背景技術】
【０００２】
従来の扇風機だけでは、ただ風を起こすのみであった。
【０００３】
また従来の扇風機カバーも埃よけとしての活用法のみであった。
【０００４】
冷却媒体を内部にセットし風を送り冷風を作る冷風扇という商品があるが、それでは
扇風機がもう1台ほど買える値段を出さなければならない。
【０００５】
【特許文献１】登録実用新案第３０９４１８２号公報
【考案の開示】
【考案が解決しようとする課題】
【０００６】
冷却のために扇風機を回すと風が起こり心地よく感じられるが、これは室内の空気
を対流しているだけなので、温まった室内ではあまり効果がない。
【課題を解決するための手段】
【０００７】
扇風機カバーならびに扇風機本体ににポケットをつけることによって、保冷剤や氷、
ドライアイスなどを入れられるようにした。
【考案の効果】
【０００８】
氷などで空気を冷やすことによって、扇風機で手軽に冷風を楽しむことができる。
【考案を実施するための最良の形態】
【０００９】
扇風機のファンを覆うかご状の本体部分に袋状の扇風機カバー本体１をつける。  扇風機本体カバー１の中央に縫い付けられている上部が開いている状態のポケット部分２に氷７や保冷剤８を適量入れる。するとその重みでポケット部分が開いてしまうのでポケット部分２の上部に縫い付けられているボタン５を扇風機カバー本体１に縫い付けられているリング状のボタンホール６に留めて使用する。
そのまま使用すると、氷や保冷剤が溶けて水が出てくるので、その水滴を受け止めるの
が、吸収体３である。
更に使用を続けるとその吸収体も飽和状態でやがて水分を吸収できなくなり、水が床
に滴り落ちてしまうようになるが、それをくい止めるのがビニール部分４である。
ビニール部分４は袋状でポケット部分２の下部の外側を囲むように縫い付けられている。
そのビニール部分４の高さより水が溢れ出しそうになるまえに、中の吸収体３の水分を
切って使用するという使い方をしていく。
【００１０】
この扇風機カバー本体１並びにポケット部分２もメッシュ素材で出来ており、その網目の大きさは幼児の指が入らない大きさになっていて、風の通りは邪魔しないが扇風機本体に埃がつきにくいよう、埃よけとしての従来のカバーの機能も充分備わっている。
又、扇風機本体と扇風機カバーを固定する部分はゴム素材で伸縮性があり、着脱も楽で
ある。
ビニール部分４は素材がビニールだけに風を防いでしまうので、その高さは２．５セン
チ程度とし、幅も１センチ程度とする。
水分を吸収する吸収体３は密度の高い高吸収性に優れたものを使用し、その長さや幅はポケット部分２に入る大きさとする。
又、ポケット部分２の大きさは氷や保冷剤が充分入る大きさとし、今回の考案の図や説
明では中央に１袋であるが、その数は1袋に限らない。
本考案ではボタン５ならびにボタンホール６をポケット部分２に冷却媒体を挿入した際
のポケット上部が開きすぎてしまう防止策として使用しているが、面ファスナーなどでも良いとする。
扇風機本体にポケットが備わっている場合も使用方法としては扇風機カバー同様、保冷
剤などをポケット部分に挿入し使用していく。
扇風機本体のポケット部分は風の通りを邪魔しない作りとする。
【００１１】
扇風機カバーならば家庭にある扇風機で冷風を楽しめるようになるし、ポケット付き扇
風機本体ならばカバーなくして冷風を楽しむことができる。
【図面の簡単な説明】
【００１２】
【図１】扇風機カバー本体とポケット部分を示す平面図である。
【図２】考案した扇風機カバーの使用状況を示す平面図である。
【図３】考案した扇風機カバーを扇風機に取り付けた使用状況を示す平面図である。
【図４】扇風機本体にポケットが付いていることを示す平面図である。
【符号の説明】
【００１３】
１    扇風機カバー本体（メッシュ生地）
２    ポケット部分（メッシュ生地）
３    吸収体
４    ビニール部分
５    ボタン
６    ボタンホール
７    保冷剤
８    氷
９    扇風機本体
１０  扇風機本体のポケット部分
【図１】
0003139320.tif 000003
【図２】
0003139320.tif 000004
【図３】
0003139320.tif 000005
【図４】
0003139320.tif 000006
【手続補正書】
【提出日】平成19年11月22日(2007.11.22)
【手続補正１】
【補正対象書類名】実用新案登録請求の範囲
【補正対象項目名】請求項３
【補正方法】変更
【補正の内容】
【請求項３】
扇風機のファンを覆うかご状の本体部分中央に氷などの冷却媒体を入れるためのポケットがついた扇風機本体。
(57)【要約】      （修正有）【課題】貫通穴により裁断しない部分を排除して、裁断することを防止できる挟み構造を提供する。【解決手段】二つの挟み体と二つの掴みが備えられ、二つの挟み体の前段において、内側の近くに、それぞれ裁断機能を有する切れ刃が形成された貫通穴が設けられ、その後方に所定の位置に枢着穴が設けられ、二つの挟み体が二つの対応する枢着穴により枢着され、掴みが二つの挟み体の末端に組み立てられ、これにより簡単に力を印加でき、また、二つの掴みの対応する内側において、前方にもう一つの掴みへ向かうフック状の係止部があり、二つの係止部の間に適当な隙間があり、掴みが挟み体とともに外へ開かれる時、隙間を利用して、二つの係止部が互いに係止するまで所定の距離に開かれ、この時、二つの挟み体の貫通穴が一致するようになる。【選択図】図２
0003139373.tif 000002
【実用新案登録請求の範囲】
【請求項１】
二つの挟み体及二つの掴みが備えられ、二つの挟み体の後方において、所定の位置に、二つの挟み体を互いに枢着するための枢着穴が設けられ、掴みが二つの挟み体の末端に組み立てられる挟み構造であって、二つの挟み体の前段に、それぞれ裁断機能を有する切れ刃が形成された貫通穴が設けられ、二つの掴みの対応する内側において、前方にもう一つの掴みへ向かうフック状の係止部があり、該二つの係止部の間に適当な隙間があり、掴みが挟み体とともに外へ開かれる時、該隙間を利用して、二つの係止部が互いに係止するまで所定の距離に開かれ、この時二つの挟み体の貫通穴が一致するようになることを特徴とする、挟み構造。
【請求項２】
貫通穴は、挟み体の前段の内側の近くに形成されることを特徴とする、請求項１に記載の挟み構造。
【請求項３】
貫通穴は、錐状であることを特徴とする、請求項１に記載の挟み構造。
【請求項４】
貫通穴の前方の外周縁面に、円弧部が形成されることを特徴とする、請求項１に記載の挟み構造。
【請求項５】
二つの掴みは、対応する内側の後方に、二つの掴みを締める時、互いに抵当する抵当部が設けられることを特徴とする、請求項１に記載の挟み構造。
【考案の詳細な説明】
【技術分野】
【０００１】
本考案は、挟み構造に関し、特に裁断する時、裁断しない部分を除外でき誤裁断を防止できる新規の挟み構造に関する。
【背景技術】
【０００２】
従来の挟み構造は、線材を裁断できるが、実用上では次の問題点があり、その刃部の先端が細鋭く裁断しない工作物を排除する設計がないため、裁断する時、裁断しない部分が誤って裁断され、また、刃部の先端が開放状であるため、線材の表面が滑らかである時、裁断中、線材が刃部の前方から逃がす恐れがあるなどの問題がある。
【考案の開示】
【考案が解決しようとする課題】
【０００３】
本考案の主な目的は、貫通穴により裁断しない部分を排除して、誤裁断することを防止できる挟み構造を提供する。
【０００４】
本考案の他の目的は、閉鎖領域である貫通穴により、線材の表面が滑らかでも、前方から逃がすことなく、快速且つ簡単に裁断できる挟み構造を提供する。
【課題を解決するための手段】
【０００５】
本考案は、二つの挟み体及二つの掴みが備えられ、二つの挟み体の後方において、所定の位置に二つの挟み体を互いに枢着するための枢着穴が設けられ、掴みが二つの挟み体の末端に組み立てられる挟み構造であって、二つの挟み体の前段に、それぞれ、裁断機能を有する切れ刃が形成された貫通穴が設けられ、二つの掴みの対応する内側において、前方にもう一つの掴みへ向かうフック状の係止部があり、該二つの係止部の間に適当な隙間があり、掴みが挟み体とともに外へ開かれる時、該隙間を利用して、二つの係止部が互に係止するまで所定の距離に開かれて、この時、二つの挟み体の貫通穴が一致するようになる挟み構造である。
【考案を実施するための最良の形態】
【０００６】
図１と図２を参照しながら、本考案は、二つの挟み体１０と二つの掴み２０が備えられ、二つの挟み体１０の前段において、内側の近くに、それぞれ対応する内側に裁断機能を有する切れ刃１２が形成された錐状である貫通穴１１が設けられ、また、貫通穴１１の前方の外周縁面に円弧部１３が形成され、後方において、所定の位置に枢着穴１４が設けられ、二つの挟み体１０が対応する枢着穴１４により枢着され、掴み２０は二つの挟み体１０の末端に組み立てられ、これにより力を印加し易くなり、また、該二つの掴み２０において、対応する内側の前方に、もう一つの掴み２０に向かってフック状である係止部２１があり、二つの係止部２１の間に適当な隙間があり、掴み２０が挟み体１０とともに外へ開かれる時、該隙間を利用して、二つの係止部２１が互いに係止するまで所定の距離に開かれ、この時、二つの挟み体１０の貫通穴１１が一致するようになり（図３のように）、また、該二つの掴み２０は、対応する内側の後方に二つの掴み２０を締める時、互いに抵当する抵当部２２が設けられる。
【０００７】
使用する時、指を掴み２０に通して、指を開くことと握ることにより、挟み体１０の開閉を制御して裁断し、即ち、指を開いて掴み２０に連動されて二つの挟み体１０が開き、二つの係止部２１が互いに係止すると貫通穴１１が一致になり、この時、線材３０を貫通穴１１に通し、また、貫通穴１１が１本だけの線材３０が通され、前方の周縁に円弧部１３が形成されるため、裁断しない部位３１が排除され（図４のように）誤裁断することを防止でき、また、指を少しずつ握ることにより、二つの貫通穴１１がずれて行き、ずれることにより、切れ刃１２で線材３０を裁断でき（図５のように）、また、貫通穴１１が閉鎖領域であるため、線材３０の表面が滑らかであっても、前方から逃げることなく快速且つ簡単に裁断できる。
【０００８】
以上のような構造により、貫通穴１１が単一の線材３０だけを通すことができ、また、前方の周縁に円弧部１３が形成されるため、線材３０を通すことにより、裁断しない部分３１が排除され誤裁断することを防止でき、また、貫通穴１１が閉鎖領域であるため、線材３０の表面が滑らかであっても、前方から逃げることを防止でき快速且つ簡単に裁断できる。
【図面の簡単な説明】
【０００９】
【図１】本考案の立体組立て図
【図２】本考案の立体分解図
【図３】本考案の挟み体を外へ開く状態の概念図
【図４】本考案の線材を貫通穴に通す状態の概念図
【図５】本考案の貫通穴をずれることにより線材を裁断する状態の概念図
【符号の説明】
【００１０】
１０      挟み体
１１      貫通穴
１２      切れ刃
１３      円弧部
１４      枢着穴
２０      掴み
２１      係止部
２２      抵当部
３０      線材
３１      裁断しない部分
【図１】
0003139373.tif 000003
【図２】
0003139373.tif 000004
【図３】
0003139373.tif 000005
【図４】
0003139373.tif 000006
【図５】
0003139373.tif 000007
(57)【要約】      （修正有）【課題】指を切る恐怖から料理ばなれをしている人が安心して、家庭料理が出来、家族そろって美味しい家庭料理がいただける又、材料に直接指が触れることが出来るので、感覚を保ったまま料理が出来る調理用安全指サックの提供。【解決手段】子供でも、簡単に指が曲げられるように、柔らい素材を使い、子供から大人まで使えるようにサイズを多くする。【選択図】図１
0003139310.tif 000002
【実用新案登録請求の範囲】
【請求項１】
料理をするときに、包丁で指を切ることのないように、安心をして料理ができる指サック。
【考案の詳細な説明】
【技術分野】
【０００１】  本考案は、指を切る心配なく、料理のできる器具である。
【背景技術】
【０００２】  包丁で、指を切る恐怖から、料理ばなれを解決する。
【考案が解決しようとする課題】
【０００３】  指を切る恐怖から、料理ばなれをしている人を、安心して料理ができるようにする。
【課題を解決するための手段】
【０００４】  本考案を装着することで、包丁で指を切る心配から解放され、料理が楽しくなり、料理の幅も広くなる。子供もこの器具を装着することで、安心して包丁を使うことができ、親子で調理が楽しめる。又、指が自由に動くので、付けたままで他のことをしながら料理ができ、指先が材料に直接触れることが出来るので、感覚を保ったまま料理が出来る。
【考案の効果】
【０００５】  料理をすることが楽しくなり、手料理が家族で楽しめる。
【考案を実施するための最良の形態】
【０００６】  子供でも、簡単に指が曲げられるように、柔らかい素材を使い、子どもから大人まで使えるようにサイズを多くし、沢山の人に料理を楽しんでもらう。
【図面の簡単な説明】
【０００７】
【図１】  本考案の、調理用安全指サックの図面である。
【符号の説明】
【０００８】  １  調理用指サック
２  包丁
【図１】
0003139310.tif 000003
【手続補正書】
【提出日】平成19年10月30日(2007.10.30)
【手続補正１】
【補正対象書類名】実用新案登録請求の範囲
【補正対象項目名】全文
【補正方法】変更
【補正の内容】
【実用新案登録請求の範囲】
【請求項１】
指の背面側から両側面側までを一体に覆うとともに、両側面側を覆う部分の長さ方向に沿って指の腹側を開口する、開口側縁を設けた断面略Ｃ字形状の指サックであって、前記両側面側を覆う部分の開口側縁に、曲線状の複数の切り欠き部を設け、さらに柔らかい素材を使っていることを特徴とする指サック。
(57)【要約】      （修正有）【課題】男女の用便を簡単にし、また、冬場のつなぎ服内の厚着に関係なく、上身部を脱ぐ事無く用便ができ、ファッション的にも見栄えが良いつなぎ服の提供。【解決手段】背部ウエスト切り賛え部分のズボン側がゴムシャーリングのため、でん部が出し易く排泄が楽になり、後は、上身部スソをシャツのようにゴムシャーリング内部にいれればすぐに作業に戻れる。【選択図】図１
0003139342.tif 000002
【実用新案登録請求の範囲】
【請求項１】
つなぎ服の背側上身部を分離して、ズボン部ウエスト背側はゴムシャーリングを用い、腰部の生地を多めに使用し、でん部を出し易くし、従来のように上部を脱がずに男女共、大便排泄を容易に出来る、用便の不便さをなくすつなぎ服。
【考案の詳細な説明】
【技術分野】
【０００１】この発明は簡単にでん部を出す事ができ、排泄が容易にでき、また、ファスナーなどで切り離すタイプと違い、排泄後の身支度が簡単である。
【背景技術】
【０００２】従来のつなぎ服は前身頃中心部縦に着脱用と男性小用のためのファスナーがついているだけである。
【考案の開示】
【考案が解決しようとする課題】
【０００３】男女の用便を簡単にし、また、冬場のつなぎ服内の厚着に関係なく、上身部を脱ぐ事無く用便ができ、ファッション的にも見栄えが良い。
【課題が解決するための手段】
【０００４】本考案は請求項１により、図１の背部ウエスト部分はズボン側に５ｃｍ幅のゴムシャーリングを使用し、切り離した上部はシャツのスソ丈で、シャーリングの内側に入れ、図５の符号２のマジックテープによりウエスト幅を調整する事により、若干の体系のウエストに対応できる。
背面のゴムの部分は縫わず、ゴムの伸びが、でん部を出せる長さにする。
【考案の効果】
【０００５】この考案により寒冷地においても防寒着等を重ね着しても狭いトイレ内での着脱が楽になり排泄時の不便さを解決するつなぎ服である。
又、女性の作業上の着用普及につながるつなぎ服である。
【実施例】
【０００６】図１のシャーリング部の生地の用尺に、でん部を出せるようにゆとりを持たせ、でん部の出し入れが容易である。【０００７】図１の６ａ、６ｂは背部のウエストのスソが脇ですき間ができない様、スソの端々をシャーリング部で縫い合わせている。【０００８】図２は排泄時の４のシャーリング部の状態を示し背側上部スソ５の状態を示した物である。【０００９】図３は、シャーリング部の切り替えにより、背面シャツとズボンの状態を示したものである。【００１０】図４の側面部は、６ａは従来のゴムの上から縫込みを入れ、４部分は縫込みせずそれにより腰部の生地を寄せるだけである。したがって、でん部を出せるゴムの伸びができる。
又、ゴムの使用によりウエストが締まりつなぎ服全体の肩にかかる重量負担が軽減され肩こり防止にもなる。
【図面の簡単な説明】
【００１１】
【図１】本考案のつなぎ服の背面図
【図２】本考案のつなぎ服を着用した時の排泄状態を表している側面図
【図３】本考案のつなぎ服の上身部背面のスソを出した状態を表している背面図
【図４】ウエストゴムシャーリングの使用説明の側面図
【図５】従来のつなぎ服の前面図
【符号の説明】
【００１２】１  つなぎ服本体
２  マジックテープによるウエストの調整部
３  従来のつなぎ服のファスナー前面開閉部
４  本考案のゴムシャーリング使用部
５  つなぎ服上身部背面のスソ部
６ａ，６ｂ  つなぎ服のシャツのスソ部、脇すき間防止のための仕様
【図１】
0003139342.tif 000003
【図２】
0003139342.tif 000004
【図３】
0003139342.tif 000005
【図４】
0003139342.tif 000006
【図５】
0003139342.tif 000007
(57)【要約】【課題】従来、椅子生活の習慣や老化によつて、腰が曲がり、背中が丸くなって身体全体の可動域が狭くなり、運動能力も低下して来て、やがて将来の、寝たきりへも繋がっていく。これを改善出来る整体術は保健が効かない。自宅で出来る簡便な方法が無かった。【解決手段】本器の特徴である揺動座席上で仰向けに腰部の体重を支えて揺らす動作と、上半身に伝わって来たその揺れを肩胛骨部位の背当てで受け止める動作とを組み合わせる事によって、主として肩胛骨周辺の固着がほぐされてきて、更に手摺りを用いて上体の姿勢を変化させる事で、肩関節、首、胴体ひねり、全身の可動域の拡大、姿勢の改善、運動能力の向上へと改善が図られます。【選択図】図２
0003139343.tif 000002
【実用新案登録請求の範囲】
【請求項１】
電動式揺動座席部分と、非揺動の背当て及び手すり部分からなる構造を特徴とする胴体ほぐし器
【考案の詳細な説明】
【技術分野】
【０００１】本考案は、自分自身、自宅で手軽に、姿勢を変えながら筋肉や関節を、ほぐす為の用具を提供するものである。
【背景技術】
【０００２】従来、生活習慣や、老化によって腰が曲がり、背中が丸くなって身体全体の可動域が狭くなり、運動能力も低下してくる。これを改善出来る整体術は保健が効かない。自分自身で、自宅で出来る簡便な方法が無かった。
【考案の開示】
【課題を解決するための手段】
【０００３】仰向け姿勢で、本胴体ほぐし器上で主として肩胛骨部位を本器の背当てに乗せ、腰部を電動式揺動座席の上で連続体揺らし等を実施する事で、老化や日常の椅子生活から来る猫背や屁っぴり腰化の改善に努めることを基本にしつつ、筋肉や各関節部位をほぐし、可動域の拡大へと波及させていきます。
【考案の効果】
【０００４】本器の特徴である揺動座席上で仰向けに腰部の体重を支えて揺らす動作と、上半身に伝わって来たその揺れを肩胛骨部位の背当てで受け止める動作とを組み合わせる事によって、主として肩胛骨周辺の固着がほぐされてきて、更に手摺りを用いて上体の姿勢を変化させる事で、肩関節、首、胴体ひねり、全身の可動域の拡大、姿勢の改善、運動能力の向上へと改善が図られます。
【図面の簡単な説明】
【０００５】
【図１】本器の構造を示すものです。
【図２】本器の使用例を示すものです。
【図１】
0003139343.tif 000003
【図２】
0003139343.tif 000004
(57)【要約】      （修正有）【課題】ホットプレート本体に最大６個の小型パンを収納できる小型パン用収納テーブル室を設け複数の調理を同時にすることを可能とする。【解決手段】ホットプレート本体１に小型パン用収納テーブル４を設ける事で小型パン用収納テーブル４と電熱棒の間に小型パン用収納テーブル室ができる。そして、小型パン用収納テーブル室に最大で６個の小型パン３を収納でき電熱棒を上部プレート２と小型パン３で電熱棒を挟む形になり、電熱棒の熱を効率よく使うことができ複数の調理を１台で同時に可能とすることができる。その上小型パン３は取り出すだけで、上部プレート２は取り外すだけで簡単に掃除でき時間効率も良くなり役立つ。【選択図】図１
0003139344.tif 000002
【実用新案登録請求の範囲】
【請求項１】
ホットプレート本体、上部プレートの下に有る電熱棒の下に小型パン用収納テーブル室を設け、最大６個の小型パンを収納でき複数の料理を同時に調理する事ができるところを特徴とした小型パン収納テーブル室付ホットプレート。
【考案の詳細な説明】
【技術分野】
【０００１】  本考案は、ホットプレート本体に小型パン収納テーブル室を設けたホットプレートである。
【背景技術】
【０００２】飲食店、一般家庭において、複数の料理を複数の人で調理した場合、複数のホットプレートを使用し、複数のプレートを交換していた。
【考案の開示】
【考案が解決しようとする課題】
【０００３】複数のホットプレートならびに、複数のプレートの購入は、経済的負担も大きくスペースも必要になる、更に後かたずけにも時間が掛かり労働的負担である。したがってホットプレート機能と収納小型パン機能を一体化する事により、飲食店、一般家庭で複数の料理を複数の人が一台で調理が可能になり、前途の欠点を解決しようとするものである。
【課題を解決するための手段】
【０００４】本考案は、ホットプレート本体、上部プレート下の電熱棒の下に６個の小型パンを収納出来る溝入の鉄製のテーブル板を設ける事により電熱棒と溝入り鉄製テーブル板の間に小型パン収納室ができ、最大６個の小型パンを収納でき、スライドさせることにより簡単に出し入れし調理することが出来る。従って本来のホットプレート機能と小型パン収納テーブル室機能で同時に複数の調理が可能となり問題点を解決している。
【考案の効果】
【０００５】上途の様に、本考案の小型パン収納テーブル室付ホットプレートは本来のホットプレートの機能は勿論、小型パン収納テーブル室をホットプレート本体に設けたので一台で複数の調理を同時に行うことが出来る。その上個別に分かれた小型パンは簡単に取り出すことが出来るため後かたずけも楽になり時間効率も良くなり役立つ。
【考案を実施するための最良の形態】
【０００６】ホットプレート本体上部プレートの下部電熱棒の下に小型パン用収納テーブルを設ける事により、電熱棒と小型パン用収納テーブルの間に小型パン用収納室ができ、そこに、最大６個の小型パンを収納できる。そして、小型パンはスライドさせる事で簡単に出し入れでき電熱棒を上部プレートと小型パンが挟む形になり、電熱棒の熱を効率良く利用して同時に複数の調理が同時に可能となる。そして、上部プレートと小型パンは、簡単に取り外しが出来るため掃除が楽にでき時間効率も良くなる。
【実施例】
【０００７】以下、添付図面に従って実施例を説明する。１は鉄製で出来たホットプレート本体、２は鉄製で一部テフロン加工された上部プレートで８上部プレート止め棒の上に乗せる形なので簡単に取り外し可能である４は小型パン用溝入りテーブルであり、４を設ける事で６電熱棒と４の間に１０小型パン用テーブル室ができ、１０に３鉄製で一部テフロン加工された小型パンが最大で６個収納できる、３は１個から６個が個別に別れているので好みに合わせて使用が可能となる、勿論２だけでも本来のホットプレートの使用が出来る。７は小型パン用収納テーブル室天井棒であり、３を出し入れする時３は固定されてないので直接６に触れるのを防止するための天井棒である。９電熱棒で固定された６の熱を無駄なく効率良く２と３が挟む形で同時に使うことが出来るので複数の調理を同時に行う事が可能となり２と３は簡単に取り外すことが出来るので後片付けも楽になる。
【図面の簡単な説明】
【０００８】
【図１】  本考案の小型パン用収納テーブル室付ホットプレートの実施例を示す一部切欠上面図である。
【図２】  本ホットプレートの分解した上面図である。
【図３】  本ホットプレートの側面図である。
【符号の説明】
【０００９】  １ホットプレート本体
２上部プレート
３小型パン
４小型パン用収納テーブル
５電源
６電熱棒
７小型パン収納テーブル室天井棒
８上部プレート止め棒
９電熱棒止め
１０小型パン収納室
【図１】
0003139344.tif 000003
【図２】
0003139344.tif 000004
【図３】
0003139344.tif 000005
(57)【要約】      （修正有）【課題】コンパクトの鏡面にデザイン彫刻を施す技術を提供する。【解決手段】既製品のコンパクト本体（１）より鏡面本体（２）を取り出し、その鏡面本体（２）の鏡裏面に、レーザー加工機またはマイクロリューター等を使って、ネーミングあるいはロゴマーク等のデザイン彫刻（５）を施し、その面に塗料を塗布して色をつけて、鏡面本体（２）の表側の鏡面（４）に、その美麗なオリジナルデザインを浮き出させて設け、再び鏡面本体（２）をコンパクト本体（１）に装着して設ける。【選択図】図１
0003139322.tif 000002
【実用新案登録請求の範囲】
【請求項１】
既製品のコンパクト本体（１）より鏡面本体（２）を取り出し、その鏡面本体（２）の鏡裏面（３）に、レーザー加工機またはマイクロリューター等を使って、ネーミングあるいはロゴマーク等のデザイン彫刻（５）を施し、その面に塗料を塗布して、鏡面本体（２）の表側の鏡面（４）に、その美麗なオリジナルデザインを浮き出させて設け、再び鏡面本体（２）をコンパクト本体（１）に装着して設けて成る、オリジナル彫刻を施した、コンパクト鏡面。
【考案の詳細な説明】
【技術分野】
【０００１】  本考案は、多くの女性が愛用するコンパクトの鏡面に、オリジナルデザインを施して、唯一自分だけのコンパクトに変身させる、技術に関するものである。
【背景技術】
【０００２】  コンパトはメーカーで製造されているので、機種別にいろいろあるが、どれも同じものとして、個別に販売されているのは、仕方のないことである。
【考案の開示】
【考案が解決しようとする課題】
【０００３】  しかし、最近は自分のオリジナルを持ちたいと云う希望が多く、人間本来の個性や感性を高めたいと思うのは自然の流れである。
本考案は、このような希望を成す為になされたものである。
【課題を解決するための手段】
【０００４】  まず、既製品のコンパクト本体（１）から、鏡面本体（２）を外して取り出し、その鏡面本体（２）の鏡裏面（３）に、レーザー加工機またはマイクロリューター等（６）を使って、顧客の自分のネーミングや、ロゴマーク等のオリジナルのデザイン彫刻（５）を施す。そしてそこに、マジックマーカーや刷毛等（７）を使って塗料で書込んで塗ったり、塗布したりして、鏡面本体（２）の表側の鏡面（４）に、その美麗なオリジナルデザインを浮き出させて設ける。このように加工をして、再びこの鏡面本体（２）をコンパクト本体（１）に装着する。
本考案は以上のような構成による、オリジナル彫刻を施した、コンパクト鏡面である。
【考案の効果】
【０００５】  １．お客様は自分だけの、オリジナルコンパクトを持っていると云う理由で、特別な事と思い、本考案のコンパクトを大切にするし、デザイン彫刻の事を自然な形でＰＲしてくれる。
２．店側にすれば、オリジナルのデザイン彫刻を、コンパクトを購入してくれたお客様の目の前で、入れてあげる事で、そのコンパクトの付加価値が上がりコストアップになっても、喜んでもらえる。
【考案を実施するための最良の形態】
【０００６】  最近の女性は、人目もはばからず電車内や公共の人の中に居ても、平気で化粧をしている姿を見かけるが、それだけ化粧コンパクト等が普及しているのは事実である。そのような状況など鑑みて、この多くの人達はやはり、自分だけにしかない、オリジナルのコンパクトを持ちたいと思うのは、当然の思考である。
お店でも事実、このような商品に何か付加価値をつけて販売したい、他と販売に於いても、差別化を計り、売上の向上を願っているのである。そんな中、独自のオリジナル品として、鏡面（４）にデザイン彫刻（５）を施して、その工芸加工技術を生かすことである。
それを実施するための最良の形態として、まず店に於いて、お客様が買ってくれた、コンパクト本体（１）から、鏡面本体（２）を外して取り出し、その鏡面本体（２）の鏡裏面（３）に、（この鏡面の裏面は銀メッキ膜・銅メッキ膜と塗料膜でコーティングされている）この塗膜コーティングの上から、レーザー加工機またはマイクロリューター等（６）を使って、顧客の目の前で自分のネーミングや、ロゴマーク等のオリジナルのデザイン彫刻（５）を施す。そしてそこに、細い刷毛等を使って塗料を塗布して、あるいはマジックマーカー等で書込むように塗る。そして鏡面本体（２）の表側の鏡面（４）に、その美麗なオリジナルデザインを浮き出させて設ける。このように加工をして、再びこの鏡面本体（２）をコンパクト本体（１）に装着する。
このようにして、オリジナルコンパクトは仕上がり、お客は店先で受け取った時より、自分愛用の自慢の商品として毎日、携行所持し気持ち良く使用出来る。
【図面の簡単な説明】
【０００７】
【図１】  本考案の説明斜視図である。
【図２】  本考案の本体外観図である。
【図３】  本考案の鏡面本体の裏面への彫刻施工図である。
【図４】  本考案の鏡面本体の彫刻完成図である。
【符号の説明】
【０００８】１  コンパクト本体
２  鏡面本体
３  鏡裏面
４  鏡面
５  デザイン彫刻
６  レーザー加工機等
７  マーカーや刷毛等
【図１】
0003139322.tif 000003
【図２】
0003139322.tif 000004
【図３】
0003139322.tif 000005
【図４】
0003139322.tif 000006
(57)【要約】      （修正有）【課題】寝具の隙間を防いで防寒効果を上げる。【解決手段】３６０度覆う事の出来るマント型に作り襟を付ける。【選択図】図１
0003139330.tif 000002
【実用新案登録請求の範囲】
【請求項１】
敷布団の上に設置して使用するもので、綿の入った毛布地で作った襟付きマント型を特徴とする防寒寝具
【考案の詳細な説明】
【技術分野】
【０００１】  本考案は、隙間を防ぎ難い肩の部分を覆う防寒寝具に関するものである。
【背景技術】
【０００２】  電気毛布や着用するものがある。
【考案の開示】
【考案が解決しようとする課題】
【０００３】  従来の電気毛布や着用するもの、あるいは掛け寝具などでは肩の部分の隙間を防ぎ難く着用するものに関しては違和感があったりした。頬や首筋の部分の防寒も難しく、隙間から入り込む冷気によって安眠の妨げになり健康への悪影響にも繋がりかねない。従って、安全に、また容易に難しかった部分の防寒対策が出来その効果を上げるもので前述の欠点を解決しようとするものである。
【課題を解決するための手段】
【０００４】  本考案は、肩を覆う部分を綿の入った毛布地でマント型に作り、観音開きの胸の部分でマジックテ−プで止め外しが出来る。頬、首筋を覆う為に取り外しの出来る綿の入った襟を付ける事で問題点を解決している。
【考案の効果】
【０００５】  肩の部分がマント型寝具で３６０度覆う事で隙間が無くなり綿が入っているので防寒効果が上がる。又、腕を通さず覆うだけなので違和感も無い。頬や首筋を覆う為に綿の入った襟が付いており、気温によって不用の時は外して調整出来る。電気を使わないので安全で敷布団の上に置いて使用するだけなので操作が簡単に出来る。
【考案の実施するための最良の形態】
【０００６】  綿の入った毛布地で脹らみをだす為にギャザ−をよせてマント型に作り観音開きの胸の部分マジックテ−プを付ける。又、取り外しの出来る綿入りの襟が付いていて寝具の両サイドにはズレ防止の為の紐が付いている。
【実施例】
【０００７】  以下、添付図面に従って一実施例を説明する。１は防寒寝具本体、２とは綿が入っている部分、４は防寒寝具の下の部分で綿が入っている。５は襟である。６はマジックテ−プで止め外しをする。７と８は、脹らみを出す為のギャザ−である。９はボタンを通す穴である。１０、１１、１２、１３はズレ防止の為に敷布団の下で結ぶ紐である。１４、１５は綿が入っており１６綿が入っていない。防寒寝具と襟は１８のボタンで合わせ１７はその隙間を防ぐ為の布である。
【図面の簡単な説明】
【０００８】
【図１】本考案の襟付きマント型防寒寝具の一実施例を示す正面図である。
【図２】本防寒寝具の襟を外した状態の正面図である。
【図３】襟の正面図である。
【図４】襟の一部切欠断面図である。
【符号の説明】
【０００９】１    防寒寝具本体
２    綿が入ってる部分
３    綿が入ってる部分
４    綿が入ってる部分
５    襟
６    マジックテ−プ
７    ギャザ−
８    ギャザ−
９    ボタン通し穴
１０  紐
１１  紐
１２  紐
１３  紐
１４  綿が入っている
１５  綿が入っている
１６  綿が入っていない
１７  布
１８  ボタン
【図１】
0003139330.tif 000003
【図２】
0003139330.tif 000004
【図３】
0003139330.tif 000005
【図４】
0003139330.tif 000006
0003139330.tif 000007
(57)【要約】      （修正有）【課題】鉄面、木面、ガラス面等、垂直面でも使用可能な磁石及び粘着材付きレベルを提供する。【解決手段】レベル１の側面部に磁石１０を、もう一方の側面部に粘着材を付ける。【選択図】図１
0003139323.tif 000002
【実用新案登録請求の範囲】
【請求項１】
レベルの側面部に磁石を、もう一方の側面部に粘着材を付けたことを特徴とする磁石及び粘着材付きレベル。
【考案の詳細な説明】
【技術分野】
【０００１】  本考案は、レベルを鉄面、木面、ガラス面例えば垂直面でも使用可能なレベルに関する。
【背景技術】
【０００２】  従来のレベルでは、垂直面の鉄、木、ガラスには付かない。
【考案の開示】
【考案が解決しようとする課題】
【０００３】  レベルを垂直な鉄、木、ガラス面に付けられる様にする。
【課題を解決しようとする手段】
【０００４】  レベルの側面部に磁石を、もう一方の側面部に粘着材（何度使用しても粘着力が落ちない材料）を付けたものである。
【考案の効果】
【０００５】  よって、本考案のレベルは鉄、木、ガラス面等に付けられ名板等を水平に一人で取り付けられる。又、取り付け面に線を引く必要がなくなる。上面に貼るものを置く事により便利で能率を上げる事が可能である。
【考案を実施するための最良の形態】
【０００６】  本考案に係る磁石、粘着材は図１に示す様にする。レベルの左右２箇所に磁石、もう一方の側面に粘着材を付ける。接着力はレベルが低下しない程度で良い。
【図面の簡単な説明】
【０００７】
0003139323.tif 000003
【図３】  側面の断面図である。
【符号の説明】
【０００８】１    レベル、      ２    レベルの計測部
１０  磁石、        ２０  粘着材
【図１】
0003139323.tif 000004
【図２】
0003139323.tif 000005
【図３】
0003139323.tif 000006
【手続補正書】
【提出日】平成19年11月26日(2007.11.26)
【手続補正１】
【補正対象書類名】明細書
【補正対象項目名】０００７
【補正方法】変更
【補正の内容】
【０００７】
【図１】  本考案に係る磁石取り付け部の斜視図である。
【図２】  本考案に係る粘着材取り付け部の斜視図である。
【図３】  側面の断面図である。